(57)【要約】【課題】  リアクタが取り付けられる仕切板の板厚を厚くすることなく、取り付けた時の強度を増強できるようにした空気調和機の室外機を提供する。【解決手段】  底板上を、同底板上に立設した仕切板２により圧縮機室と熱交換器室に区画し、前記圧縮機室に面する仕切板２に取付部材１０により複数のリアクタ７が取り付けられてなる空気調和機の室外機において、前記取付部材１０は、前記リアクタ７が固定される固定部８と、前記仕切板２に取り付けられた状態で前記固定部８と前記仕切板２との間を中空状に形成する取付部９とを備えてなる構成にした。【選択図】  図３
2009186109.tif 000002
【特許請求の範囲】
【請求項１】
仕切板により内部を圧縮機室と熱交換器室とに区画し、前記圧縮機室に面する前記仕切板に取付部材によりリアクタが取り付けられてなる空気調和機の室外機において、
前記取付部材は、前記リアクタが固定される固定部と、前記仕切板に取り付けられた状態で前記固定部と前記仕切板との間を中空状に形成する取付部とを備えてなることを特徴とする空気調和機の室外機。
【請求項２】
前記取付部材に懸架部を設け、同懸架部により同取付部材が前記仕切板に懸架されることを特徴とする請求項１に記載の空気調和機の室外機。
【請求項３】
前記取付部材が、前記仕切板に対し平行に取り付けられることを特徴とする請求項１または請求項２に記載の空気調和機の室外機。
【発明の詳細な説明】
【技術分野】
【０００１】
本発明は、空気調和機の室外機に係わり、より詳細には、仕切板にリアクタを取り付ける取付構造に関する。
【背景技術】
【０００２】
従来の空気調和機の室外機は、図８（Ａ）および図８（Ｂ）に示すように、リアクタａを底板上の仕切板ｂに取り付けて仕切板ｂのコンパクト化をはかるものとして、ファンｃと熱交換器ｄとを有する送風室ｅと、圧縮機ｆを有する機械室ｇとに、吹出口ｈを備えた前板ｉ、熱交換器カバーｊ、機械室側板ｋおよび天板ｌからなるケーシングｍ内を仕切板ｂによって区画したものにおいて、前記仕切板ｂの機械室ｇ側で圧縮機ｆの上方に開口ｎを備えた凹部ｏを形成し、この凹部ｏに面してリアクタａを配置するようにし、また前記仕切板ｂの上部を機械室ｇ側に折り曲げて電装ボックスｐとの間に遮熱板ｑを形成し、この遮熱板ｑの下方の仕切板ｂにリアクタａの取付ベースａ’を、切起しｔおよびねじｕによって取り付けるようにしたものが開示されていた（例えば、特開２００２−１３７６４号公報参照。）。
【０００３】
しかしながら、仕切板ｂは鈑金製により厚さ０．７ミリメートル程度の薄板状に形成されており、リアクタ取付部ｒには開口ｎを備えた凹部ｏが設けられる一方、この開口ｎが設けられて強度が低下した仕切板ｂに防水用のカバーｓが添設されることで該箇所の強度補強になるが、例えば、重さが約２．５キログラムのリアクタａを３個並べて取り付けるような場合には、仕切板ｂの板厚が薄く強度が不充分なために撓みや変形が生じてしまうという問題点を有していた。
【特許文献１】特開２００２−１３７６４号公報
【発明の開示】
【発明が解決しようとする課題】
【０００４】
そこで、本発明は上述した課題を解決するためになされたものであって、その目的は、リアクタが取り付けられる仕切板の板厚を厚くすることなく、取り付けた時の強度を増強できるようにした空気調和機の室外機を提供することにある。
【課題を解決するための手段】
【０００５】
上述した目的を達成できるように、リアクタが取り付けられる仕切板の板厚を厚くすることなく取り付けた時の強度を増強できるように構成するため、本発明は以下に示す特徴を備えている。
【０００６】
仕切板により内部を圧縮機室と熱交換器室とに区画し、前記圧縮機室に面する前記仕切板に取付部材によりリアクタが取り付けられてなる空気調和機の室外機において、
前記取付部材は、前記リアクタが固定される固定部と、前記仕切板に取り付けられた状態で前記固定部と前記仕切板との間を中空状に形成する取付部とを備えてなることを特徴としている。
【０００７】
また、前記取付部材に懸架部を設け、同懸架部により同取付部材が前記仕切板に懸架されることを特徴としている。
【０００８】
また、前記取付部材が、前記仕切板に対し平行に取り付けられることを特徴としている。
【発明の効果】
【０００９】
本発明によれば、リアクタが取り付けられる仕切板の板厚を厚くすることなく、取り付けた時の強度を増強できるようにした空気調和機の室外機を提供できる。
【発明を実施するための最良の形態】
【００１０】
次に、本発明の実施形態について図面を参照しながら説明する。
【００１１】
図１は本発明による空気調和機の室外機の斜視図であり、図２は本発明による空気調和機の室外機の要部分解斜視図であり、図３は本発明による空気調和機の室外機の要部斜視図であり、図４は本発明による空気調和機の室外機の要部説明図であり、図５は図４に示すＡ矢視図であり、図６は図４に示すＢ−Ｂ断面図であり、図７は本発明による空気調和機の室外機の要部説明図で、（Ａ）は取付部材の正面図、（Ｂ）は側面図、（Ｃ）は上面図、（Ｄ）は斜視図である。
【００１２】
本発明による空気調和機の室外機は、前面パネルの一部（圧縮機室側）を取り外した斜視図として図１に示すように、設置用の脚部１ａを備え本体の内部となる底板１上が、同底板１上に立設した仕切板２により圧縮機３を設置した圧縮機室４と、熱交換器５および図示しない送風ファンを設置した熱交換器室６とに区画された構成になっている。
【００１３】
前記底板１には、前記送風ファンが対向する吹出口１２ａを備えた前面パネル１２、側面パネル１３および上面パネル１４等からなるケーシングが被着されており、同ケーシングの内部に前記圧縮機３、前記熱交換器５および前記送風ファン等が収容され保護されてなる構成になっている。
【００１４】
前記圧縮機室４に面する仕切板２には、複数（３個）のリアクタ７が、同リアクタ７を取り付けるための取付部材１０によって、上下方向に近接させた状態で取り付けられている。
【００１５】
前記リアクタ７は、約２．５キログラム×３個＝約７．５キログラムの重さのものが近接して取り付けられることから、前記仕切板２は、このリアクタ７の重さによって撓みや変形が生じないように強度を増強できるようにするため、図２に示すような上下方向にリブ状に延びる複数の補強用の突部２ｂを形成しており、また、前記取付部材１０が取り付けられることにより、前記仕切板２と前記取付部材１０との間に、図６に示すような略矩形状の隙間１５を形成した構造になっている。
【００１６】
なお、前記仕切板２は、上下方向に延びる前記突部２ｂに替えて、図示はしないが、該箇所に、前記熱交換器室４に向かう空気流により前記リアクタ７を冷却できるようにするためのスリットが形成されてなる構成にしてもよい。
【００１７】
前記取付部材１０は、図７（Ａ）乃至図７（Ｄ）に示すように、前記リアクタ７をねじ止めにより固定する固定部８と、同固定部８の両側部が折曲形成されることにより前記仕切板２に取り付けられた状態で前記固定部８と前記仕切板２との間を中空状に形成する取付部９とを備えた構成であって、図６に示すように、前記固定部８を前記仕切板２から平行に離間させることによって前記隙間１５を形成しており、同隙間１５は断面略四辺形状に形成された中空状の構造になっている。
【００１８】
これによって、例えば、前記仕切板２に前記固定部８を前記取付部９といっしょに隙間なく接合した場合に較べて、前記隙間１５を形成したことで、前記仕切板２と前記取付部材１０との組み合わせによる強度をさらに増強できて、鈑金によって形成される前記仕切板２の薄板化を可能にした構造になる。
【００１９】
前記固定部８には、前記リアクタ７の脚部７ａに備えた固定孔を通したねじ１６ａを螺着するためのねじ止め部８ａが穿設され、上部には手掛けを可能にした通し孔８ｂが設けられ、前記リアクタ７の下端位置を受けることで固定時の強度を増強させるための複数の突部８ｃが設けられるとともに、下端部には強度をさらに増強させるために折曲形成されたフランジ８ｄが設けられている。
【００２０】
また、上述した前記仕切板２の突部２ｂと同様に、図示はしないが、前記固定部８に上下に延びる複数の補強用の突部を設けることによって、同固定部８に前記リアクタ７が固定された時の強度を補強できるようにしてもよい。
【００２１】
前記固定部８の下端部に前記フランジ８ｄが設けられたことにより、前記仕切板２と前記取付部材１０との間に断面略四辺形状により中空状に形成された前記隙間１５は、前記フランジ８ｄからなる底面部を有することで箱形状に形成された構造になって、前記リアクタ７を固定した時の荷重に対する強度をさらに増強できるようになる。
【００２２】
また、前記固定部８の上端部には、コ字状に折曲形成された懸架部１１が設けられており、図３乃至図５に示すように、同懸架部１１を前記仕切板２の上端部に懸架できるようになっている。
【００２３】
前記仕切板２には、図２に示すように、前記取付部材１０の取付部９を取り付けるための複数のねじ止め部２ａが設けられ、上下方向に延びる複数の補強用の前記突部２ｂが設けられ、少なくとも上端部には、前記懸架部１１の寸法形状に対応して同懸架部１１をほぼ隙間なく懸架できるように所定の寸法で形成され、且つ、図４に示すように、同懸架部１１の上面部が面一状になるように懸架するための凹部２ｄを備えたフランジ２ｃが設けられている。
【００２４】
前記取付部９は、前記仕切板２のねじ止め部２ａに対応する複数の取付孔９ａが設けられており、同取付孔９ａを通したねじ１６ｂを前記ねじ止め部２ａに螺着して前記仕切板２に取り付けられ、前記取付部材１０の固定部８と前記仕切板２との間に前記隙間１５をもたせることで、上述したように、該箇所が断面略四辺形状に形成された中空状の構造となり、もしくは、前記フランジ８ｄからなる底面部を有することで箱形状に形成された構造となる。
【００２５】
これにより、前記隙間１５をなす前記仕切板２と前記取付部材１０の固定部８との間隔は、前記フランジ２ｃの幅寸法と略同一の寸法で形成されることになり、図３および図５に示すように、前記フランジ２ｃの幅寸法に合わせて前記取付部材１０が掛架されることから、同取付部材１０の固定部８が前記フランジ２ｃの幅寸法を越えて前記圧縮機室４に出っ張らない構成になり、同圧縮機室４における前記配管３ａ用のスペースは確保しやすくなる。
【００２６】
その際、前記仕切板２の凹部２ｄに前記懸架部１１が懸架されていることから、前記取付部材１０が前記仕切板２に対して位置決めしやすい状態になっているので、前記取付孔９ａを通したねじ１６ｂを前記ねじ止め部２ａに螺着する作業を容易に行えるようになっている。
【００２７】
また、図２に示す前記仕切板２のねじ止め部２ａは、図７（Ａ）および図７（Ｄ）に示す前記取付部材１０の取付孔９ａ（３箇所）に対応する位置に設けられており、図７（Ａ）および図７（Ｄ）に示す右下の位置には、前記ねじ１６ｂによってねじ止めされていない構成になっているが、該箇所がねじ止め固定されていなくても、上述したように、前記取付部材１０には重いリアクタ７を取り付けているため、その荷重で該箇所が固定されているのと同等に前記仕切板２に強く押圧されているので、前記リアクタ７が取り付けられた時の強度が増強されることになり構造上の問題はない。
【００２８】
そして、ねじ止め箇所を３箇所に限定した構成にすることで、ねじ止め箇所を４箇所またはそれ以上にした場合に較べてねじ止めの作業量を減らせることになり、また、図１に示すように該箇所に対向する位置には前記圧縮機３に連なる配管３ａが配設されていることから、該箇所で、前記配管３ａを避けながらねじ止めを行うといった困難が伴う作業をしなくて済むようになって着脱の作業が伴うメンテナンス性も良好になる。
【００２９】
なお、上述した箇所に対向して配設される前記配管３ａの量が多くない場合には、図７（Ａ）および図７（Ｄ）に示す右下の位置でも前記ねじ１６ｂによってねじ止めするように構成することで、該箇所をより強固に固定できるようにしてもよい。
【００３０】
次に、前記リアクタ７（３個）が、前記取付部材１０を介して前記仕切板２に取り付けられる動作（手順）について説明する。
【００３１】
前記リアクタ７は、図４、図６および図７に示すように、その脚部７ａに設けられた複数の固定孔を通したねじ１６ａを前記固定部８に設けられたねじ止め部８ａにねじ止めして固定される。
【００３２】
その際、上述したように、前記リアクタ７の下端位置が前記固定部８に設けられた複数の突起８ｃで受けられることによって、同リアクタ７を前記固定部８に固定した時の固定強度がさらに増強されることになる。
【００３３】
また、前記リアクタ７が固定された前記取付部材１０は、前記固定部８に設けられた通し孔８ｂに手指を掛けて持ち上げながら、図２および図３に示すように、前記懸架部１１が前記仕切板２の上端部に折曲形成されたフランジ２ｃの凹部２ｄに懸架されることで仮固定された状態になり、前記取付部９に設けられた３箇所の取付孔９ａと、同取付孔９ａに対応して前記仕切板２に設けられたねじ止め部２ａとを正確に、且つ容易に位置合わせできるようになる。
【００３４】
前記取付孔９ａを前記ねじ止め部２ａに位置合わせして、前記取付部９の取付孔９ａに前記ねじ１６ｂを通し、前記仕切板２のねじ止め部２ａにねじ止めすることにより、図４乃至図６に示すように前記取付部材１０が前記仕切板２に取り付けられる。
【００３５】
前記取付部材１０が前記仕切板２に取り付けられた際、同取付部材１０と前記仕切板２とによって前記隙間１５を中空構造状に、もしくは箱形構造状に形成することで該箇所の強度を増強できるようになり、前記リアクタ７の重さによって、前記仕切板２に撓みや変形が生じてしまわない構造になる。
【００３６】
以上説明したように、本構成によれば、前記底板１上に立設した前記仕切板２に、複数個（３個）の前記リアクタ７を固定した前記取付部材１０が前記隙間１５を有して中空構造状に、もしくは、同隙間１５に前記フランジ８ｄによる底面部をもたせて箱形構造状に取り付けられることになり、前記仕切板２の板厚を厚くすることなく前記リアクタ７が取り付けられた時の強度を充分に増強できるようになって、鈑金で形成される前記仕切板２の薄板化を可能にした空気調和機の室外機となる。
【図面の簡単な説明】
【００３７】
【図１】本発明による空気調和機の室外機の斜視図である。
【図２】本発明による空気調和機の室外機の要部分解斜視図である。
【図３】本発明による空気調和機の室外機の要部斜視図である。
【図４】本発明による空気調和機の室外機の要部説明図である。
【図５】図４に示すＡ矢視図である。
【図６】図４に示すＢ−Ｂ断面図である。
【図７】本発明による空気調和機の室外機の要部説明図で、（Ａ）は取付部材の正面図であり、（Ｂ）は側面図であり、（Ｃ）は上面図であり、（Ｄ）は斜視図である。
【図８】従来例による空気調和機の室外機の説明図で、（Ａ）は分解斜視図であり、（Ｂ）は要部断面図である。
【符号の説明】
【００３８】
１  底板
１ａ  脚部
２  仕切板
２ａ  ねじ止め部
２ｂ  突部
２ｃ  フランジ
２ｄ  凹部
３  圧縮機
３ａ  配管
４  圧縮機室
５  熱交換器
６  熱交換器室
７  リアクタ
７ａ  脚部
８  固定部
８ａ  ねじ止め部
８ｂ  通し孔
８ｃ  突起
８ｄ  フランジ
９  取付部
９ａ  取付孔
１０  取付部材
１１  懸架部
１２  前面パネル
１２ａ  吹出口
１３  側面パネル
１４  上面パネル
１５  隙間
１６ａ  ねじ
１６ｂ  ねじ
【図１】
2009186109.tif 000003
【図２】
2009186109.tif 000004
【図３】
2009186109.tif 000005
【図４】
2009186109.tif 000006
【図５】
2009186109.tif 000007
【図６】
2009186109.tif 000008
【図７】
2009186109.tif 000009
【図８】
2009186109.tif 000010